(57)【要約】  【課題】検査結果等のデータを、紙カルテに記入するような感覚で入力が可能であり、かつ、入力されたデータが効率的に検索可能となる電子カルテシステムを提供する。  【解決手段】スタンプ画像の定義情報を記憶したスタンプ定義記憶部２０５と、スタンプ画像の定義情報に基づきスタンプ画像を表示してユーザに選択させるスタンプ選択処理部２０１と、ユーザが選択したスタンプ画像を、カルテデータ入力画面に追加して表示するスタンプ貼付処理部２０２と、カルテデータ入力画面においてスタンプ画像のデータ入力領域へ入力されたデータを取り込むデータ入力処理部２０３と、取り込まれたデータを、前記スタンプ画像の定義情報において前記データ入力領域に付与されている項目名と関連付けてカルテデータ記憶部に記憶するデータ記憶処理部２０４とを備えた電子カルテシステム。【選択図】図１１
2007280206.tif 000002
【特許請求の範囲】
【請求項１】
カルテデータ入力画面を表示するディスプレイと、当該画面に対して入力されたデータを記憶するカルテデータ記憶部とを備えた電子カルテシステムであって、
データ入力領域を有するスタンプ画像の定義情報を記憶したスタンプ定義記憶部と、
前記スタンプ画像の定義情報に基づき、１つまたは複数のスタンプ画像をディスプレイに表示してユーザに選択させるスタンプ選択処理部と、
ユーザが選択したスタンプ画像を、カルテデータ入力画面に追加して前記ディスプレイに表示するスタンプ貼付処理部と、
カルテデータ入力画面において前記スタンプ画像のデータ入力領域へ入力されたデータを取り込むデータ入力処理部と、
前記データ入力処理部で取り込まれたデータを、前記スタンプ画像の定義情報において前記データ入力領域に付与されている項目名と関連付けてカルテデータ記憶部に記憶するデータ記憶処理部とを備えたことを特徴とする電子カルテシステム。
【請求項２】
前記項目名をキーとして、前記カルテデータ記憶部を検索する検索処理部をさらに備えた、請求項１に記載の電子カルテシステム。
【請求項３】
電子カルテシステムにおいてデータ入力等を支援するプログラムであって、
データ入力領域を有するスタンプ画像の定義情報を記憶したスタンプ定義記憶部を参照し、１つまたは複数のスタンプ画像をディスプレイに表示してユーザに選択させるスタンプ表示処理と、
ユーザが選択したスタンプ画像を、カルテデータ入力画面に追加して前記ディスプレイに表示するスタンプ貼付処理と、
カルテデータ入力画面において前記スタンプ画像のデータ入力領域へ入力されたデータを取り込むデータ入力処理と、
前記データ入力処理で取り込まれたデータを、前記スタンプ画像の定義情報において前記データ入力領域に付与されている項目名と関連付けてカルテデータ記憶部に記憶するデータ記憶処理とをコンピュータに実行させることを特徴とするプログラム。
【請求項４】
前記項目名をキーとして、前記カルテデータ記憶部を検索する検索処理をさらに実行させる、請求項３に記載のプログラム。
【発明の詳細な説明】
【技術分野】
【０００１】
本発明は、電子カルテシステムに関し、特に、紙カルテに記入するような感覚で入力が可能であり、かつ、入力されたデータが効率的に検索可能となる電子カルテシステムに関する。
【背景技術】
【０００２】
１９９９年４月に厚生省（現在の厚生労働省）が、カルテをデータ化してコンピュータ管理することを承認したことにより、近年、多くの病院、医院で電子カルテシステムが利用されている。
【０００３】
電子カルテシステムでは、カルテ入力に必要な様々な項目がメニュー画面から選択できるようになっており、医師は、診断の際に、マウス等の入力デバイスを用いて項目を選択入力したり、キーボードを用いて任意のテキスト入力を行ったりする（例えば特許文献１参照）。
【０００４】
また、電子カルテシステムは、ＳＯＡＰ方式に則ったものが多い（例えば特許文献２参照）。ＳＯＡＰとは、Subjective（主観的情報）、Objective（客観的情報）、Assessment（評価・分析）、Plan（計画）の頭文字をとったものである。ＳＯＡＰ方式の電子カルテの場合、医師は、ＳＯＡＰのそれぞれの欄に、必要な情報を入力する必要がある。例えば、血圧測定を行った場合、医師は、Ｏ欄に血圧の測定結果を入力する。このとき、従来の電子カルテシステムでは、テキスト入力によって、最高血圧１２０、最低血圧８０のように入力することが多い。
【特許文献１】特開２００５−２４２３９５号公報
【特許文献２】特開２００５−３１６９７０号公報
【発明の開示】
【発明が解決しようとする課題】
【０００５】
しかしながら、上記のように、ＳＯＡＰ欄等において自由なテキスト入力を受け付ける仕様の電子カルテシステムでは、以下のような問題がある。
【０００６】
まず、従来の電子カルテシステムでは、一般的に、１回の診察毎に新しいＳＯＡＰ入力フォームが提示される。医師は、例えば、ある患者について過去の診察履歴や検査結果等を見たい場合、過去のＳＯＡＰ入力フォームを１枚ずつ呼び出して履歴を目で追わなければならず、検索効率が良くない。
【０００７】
また、医師によってＳＯＡＰ欄等に入力されたデータは、電子カルテデータベースに格納されるが、自由なテキスト入力を受け付ける仕様の場合、例えば同じ検索項目について医師によって異なる項目名が入力されたり、同じ医師が場合によって異なる項目名を入力したりすることがある。このように、項目名が不統一であると、キーワードによるテキスト検索を行った場合、所望の検索結果が得られないという問題もある。
【０００８】
なお、検査結果等を入力し、かつ、必要な場合に過去の履歴を確認できる専用入力画面が用意された電子カルテシステムも従来知られているが、その場合は、ＳＯＡＰ入力画面からこの専用入力画面を呼び出して（画面を切り替えて）、検査結果データ等を入力する必要がある。
【０００９】
本発明は、上記の問題に鑑み、検査結果等のデータを、紙カルテに記入するような感覚で入力が可能であり、かつ、入力されたデータが効率的に検索可能となる電子カルテシステムを提供することを目的とする。
【課題を解決するための手段】
【００１０】
上記の目的を達成するために、本発明にかかる電子カルテシステムは、カルテデータ入力画面を表示するディスプレイと、当該画面に対して入力されたデータを記憶するカルテデータ記憶部とを備えた電子カルテシステムであって、データ入力領域を有するスタンプ画像の定義情報を記憶したスタンプ定義記憶部と、前記スタンプ画像の定義情報に基づき、１つまたは複数のスタンプ画像をディスプレイに表示してユーザに選択させるスタンプ選択処理部と、ユーザが選択したスタンプ画像を、カルテデータ入力画面に追加して前記ディスプレイに表示するスタンプ貼付処理部と、カルテデータ入力画面において前記スタンプ画像のデータ入力領域へ入力されたデータを取り込むデータ入力処理部と、前記データ入力処理部で取り込まれたデータを、前記スタンプ画像の定義情報において前記データ入力領域に付与されている項目名と関連付けてカルテデータ記憶部に記憶するデータ記憶処理部とを備えたことを特徴とする。
【００１１】
また、上記の電子カルテシステムは、前記項目名をキーとして、前記カルテデータ記憶部を検索する検索処理部をさらに備えたことが好ましい。
【００１２】
上記の目的を達成するために、本発明にかかるプログラムは、電子カルテシステムにおいてデータ入力等を支援するプログラムであって、データ入力領域を有するスタンプ画像の定義情報を記憶したスタンプ定義記憶部を参照し、１つまたは複数のスタンプ画像をディスプレイに表示してユーザに選択させるスタンプ表示処理と、ユーザが選択したスタンプ画像を、カルテデータ入力画面に追加して前記ディスプレイに表示するスタンプ貼付処理と、カルテデータ入力画面において前記スタンプ画像のデータ入力領域へ入力されたデータを取り込むデータ入力処理と、前記データ入力処理で取り込まれたデータを、前記スタンプ画像の定義情報において前記データ入力領域に付与されている項目名と関連付けてカルテデータ記憶部に記憶するデータ記憶処理とをコンピュータに実行させることを特徴とする。
【００１３】
上記のプログラムは、前記項目名をキーとして、前記カルテデータ記憶部を検索する検索処理をさらに実行させることが好ましい。
【発明の効果】
【００１４】
本発明によれば、検査結果等のデータを、紙カルテに記入するような感覚で入力が可能であり、かつ、入力されたデータが効率的に検索可能となる電子カルテシステムを提供することが可能となる。
【発明を実施するための最良の形態】
【００１５】
以下、本発明に係るデータ処理装置の一実施形態として、電子カルテシステムを例示し、その構成および動作について、図面を参照しながら説明する。なお、本発明にかかるデータ処理装置の用途は、電子カルテシステムに限定されない。画面に入力欄を表示して入力を受け付ける任意のデータ処理装置に対して、本発明を適用可能である。
【００１６】
本実施形態にかかる電子カルテシステム１は、例えば、図１に示すように、複数の医師用端末２とカルテデータベース３とがＬＡＮ４で接続された構成である。図１では、３台の医師用端末２を示したが、医師用端末の台数は任意である。また、本発明の実施形態は、図１に示したようなネットワーク型に限らず、１台のパーソナルコンピュータで実現されるスタンドアローン型でも良い。
【００１７】
図２は、電子カルテシステム１において、医師用端末２のディスプレイ２１に表示されるカルテ入力画面の一例である。なお、図２の例は、ＳＯＡＰ形式の初診時カルテ入力画面である。医師用端末２の画面において、医師が患者情報（例えば患者ＩＤ等）や診療科等を入力し、「初診時カルテ」のボタン１０３をクリックすることにより、画面上にＳＯＡＰ入力ウィンドウ１０１と入力補助ウィンドウ１０２が表示される。
【００１８】
医師は、ＳＯＡＰ入力ウィンドウ１０１において、Ｓ（Subjective）、Ｏ（Objective）、Ａ（Assessment）、Ｐ（Plan）の４種類の項目について入力が可能である。ＳＯＡＰ入力ウィンドウ１０１のＳ欄１０１ａは、患者が訴える症状等の主観的情報を入力するための欄である。Ｏ欄１０１ｂは、医師の所見や検査結果等の客観的情報を入力するための欄である。Ａ欄１０１ｃは、評価や分析を入力するための欄である。Ｐ欄１０１ｄは、検査や治療等の計画を入力するための欄である。医師は、これらの欄１０１ａ〜１０１ｄのうち、所望の欄にカーソルを置き、医師用端末２のキーボード２２からタイプ入力を行うことにより、任意のテキスト入力を行うことができる。
【００１９】
入力補助ウィンドウ１０２は、医師用端末２において、ＳＯＡＰ入力ウィンドウ１０１やその他の入力ウィンドウが表示されているとき、それらの近傍に表示される。入力補助ウィンドウ１０２は、画面上でドラッグすることによって表示位置を変更することが可能であり、必要がないときは入力補助ウィンドウ１０２の右上に表示されている×記号をクリックすることによって閉じることも可能である。入力補助ウィンドウ１０２内には、入力モード（例えば、テキスト入力モード、描画モード、スタンプ入力モード等）を切り替えたり、描画モードの際の描画ツールを切り替えたりするための各種のボタンが表示されている。すなわち、医師は、入力補助ウィンドウ１０２内のボタンを操作することにより、描画モードによってＳＯＡＰ欄１０１ａ〜１０１ｄへ任意の図形を入力したり、以下に説明するように、スタンプ入力を行ったりすることができる。
【００２０】
ここで、本発明の特徴であるスタンプ入力について説明する。本実施形態におけるスタンプ入力とは、従来の紙カルテへの記入時に用いられていたゴム印と同様の要領で、医師用端末２のディスプレイ２１に表示された任意の入力欄へスタンプ画像を貼り付けるだけで、その欄へのデータ入力が可能となる仕組みである。すなわち、従来の紙カルテは、一般的に、患者の氏名や保険情報等を記入する表紙を除いて、白紙または罫線だけのフリーフォーマットである。従って、医師は、一般的な検査項目の項目名等のゴム印を準備しておき、紙カルテの必要箇所にゴム印を押し、押印された項目名の横に検査結果数値を書き込むことにより、カルテ記入の手間を省いていた。本実施形態におけるスタンプ入力は、紙カルテに対するゴム印と同様に医師の入力の手間を省くだけではなく、電子カルテシステム１に登録されるデータ項目名の標準化を図り、かつ、当該データの検索を容易にするものである。
【００２１】
このため、電子カルテシステム１では、図２に示す入力補助ウィンドウ１０２において医師がスタンプボタン１０２ａをクリックすると、入力モードがスタンプ入力モードに切り替わり、図３に示すように、スタンプ選択ウィンドウ１０４が最前面に表示される。スタンプ選択ウィンドウ１０４は、診療科毎に電子カルテ入力に使用されるスタンプを一覧表示するものである。図３の例では、内科で使用されるスタンプの画像が一覧表示されている。なお、複数の診療科において共通して用いられるスタンプは、それら複数の診療科について重複して表示される。
【００２２】
医師が、スタンプ選択ウィンドウ１０４に一覧表示されているスタンプ画像のうちいずれかをクリックすると、そのスタンプが選択され、ＳＯＡＰ入力ウィンドウ１０１のＳＯＡＰ欄１０１ａ〜１０１ｄのうち医師が選択した欄に貼り付けられる。なお、選択したスタンプを貼り付ける欄の選択は、スタンプ選択の前に行っても良いし、スタンプ選択の後でも良い。例えば、ＳＯＡＰ欄１０１ａ〜１０１ｄのいずれかにカーソルを置いた状態で、スタンプ選択ウィンドウ１０４のいずれかのスタンプ画像をクリックすると、クリックされたスタンプがカーソルの置かれている欄に貼り付けられるようにしても良い。あるいは、スタンプ選択ウィンドウ１０４においてスタンプを選択した後に、ＳＯＡＰ欄１０１ａ〜１０１ｄのいずれかにおいてマウスを右クリックするなどして「貼り付け」を選択すると、その欄にスタンプが貼り付けられるようにしても良い。
【００２３】
ここで、図３において、医師が、最高血圧と最低血圧を入力するためのスタンプ１０４ａを選択したものとする。スタンプ１０４ａは、最高血圧と最低血圧とをそれぞれ入力するための数値入力欄１０４ａ1、１０４ａ2を有している。医師は、図４に示すように、スタンプ１０４ａをＳＯＡＰ入力ウィンドウ１０１のＯ欄１０１ｂに貼り付けた後、数値入力欄１０４ａ1、１０４ａ2のそれぞれへカーソルを置き、キーボード２２の数字キーを用いて、当該患者の最高血圧と最低血圧とを数値として入力できる。ここで、数値入力欄１０４ａ1、１０４ａ2へ入力された数値は、Ｏ欄１０１ｂに入力された情報として、カルテデータベース３へ登録される。なお、カルテデータベース３に登録されるとき、数値入力欄１０４ａ1、１０４ａ2へ入力された数値の項目名として、スタンプ１０４ａに定義されている項目名（例えば「最高血圧」、「最低血圧」）が対応付けられる。
【００２４】
また、本実施形態の電子カルテシステム１では、ＳＯＡＰ入力ウィンドウ１０１に貼り付けられたスタンプの数値入力欄をクリックするだけの簡単な操作により、過去の数値データの履歴を検索することが可能である。図５に示すように、ＳＯＡＰ入力ウィンドウ１０１のＯ欄１０１ｂに最高血圧と最低血圧を入力するためのスタンプ１０４ａが貼り付けられている場合、このスタンプ１０４ａにおいて、例えば最高血圧の数値入力欄１０４ａ1にカーソルを置いて右クリックすると、プルダウンメニュー１０５が表示される。プルダウンメニュー１０５には、この数値入力欄１０４ａに対して過去に入力されたデータの履歴を検索表示するための「結果履歴表示」や、数値入力欄１０４ａの入力値をクリアするための「クリア」等のメニューが表示される。ここで、このプルダウンメニュー１０５において「結果履歴表示」を医師が選択することにより、図６に示すように、履歴ウィンドウ１０６が最前面に表示される。履歴ウィンドウ１０６には、当該患者について過去にこの電子カルテシステム１へ入力された最高血圧値が、その入力日時等の付随的な情報と共に、一覧表示される。また、履歴ウィンドウ１０６中のグラフ表示ボタン１０６ａをクリックすると、図７に示すように、最高血圧値の履歴をグラフによって示すグラフウィンドウ１０７が、最前面に表示される。
【００２５】
以上のとおり、本実施形態の電子カルテシステム１によれば、医師は、入力ウィンドウの任意の箇所にスタンプを貼り付けることにより、紙カルテにゴム印を押して数値を書き込むのと同様のイメージで、所望のデータ入力を容易に行うことができる。また、スタンプの数値入力欄をクリックするだけで、当該数値入力欄に過去に入力されたデータの履歴を、一覧表示またはグラフ表示によって確認することができる。
【００２６】
以下、上記のスタンプ入力の仕組みについて説明する。なお、以下では、ＸＭＬを利用した場合を例示するが、プログラミング言語はＸＭＬのみに限定されず、ＳＧＭＬ，ＨＴＭＬ等の他のマークアップ言語を用いても良い。
【００２７】
図８は、血圧値の入力用のスタンプの一例である。図８のスタンプは、「血圧」という項目名テキスト８１と、最高血圧を入力するためのテキストボックス８２と、最高血圧と最低血圧との区切りを示すスラッシュ８３と、最低血圧を入力するためのテキストボックス８４とによって構成されている。
【００２８】
図８のスタンプのＸＭＬによる定義例を、図９および図１０に示す。図９（ａ）に示したタグが、図８のスタンプ中の項目名テキスト８１を定義している。すなわち、図９（ａ）に示したタグは、このスタンプにおける項目名テキスト８１の座標、背景、文字を構成する線の太さ、およびフォント種類等の、この項目名テキスト８１をディスプレイ２１に表示するために必要な情報を定義したものである。
【００２９】
また、図９（ｂ）に示したタグは、図８のスタンプ中のテキストボックス８２をディスプレイ２１に表示するために必要な情報を定義している。図１０（ａ）に示したタグは、図８のスタンプ中のスラッシュ８３をディスプレイ２１に表示するために必要な情報を定義したものである。また、図１０（ｂ）に示したタグは、図８のスタンプ中のテキストボックス８４をディスプレイ２１に表示するために必要な情報を定義している。なお、これらのタグにおいて、各要素の座標は、スタンプの左上の座標を原点（x=0,y=0）とした相対座標によって表されている。
【００３０】
図９（ｂ）および図１０（ｂ）に示すように、最高血圧を入力するためのテキストボックス８２については、コントロール名の属性値が「最高血圧」と定義され、最低血圧を入力するためのテキストボックス８４については、コントロール名の属性値が「最低血圧」と定義されている。医師がテキストボックス８２に数値を入力すると、入力された数値は、そのコントロール名の属性値である「最高血圧」と関連付けられて、カルテデータベース３に格納される。また、医師がテキストボックス８４に数値を入力すると、入力された数値は、そのコントロール名の属性値である「最低血圧」と関連付けられて、カルテデータベース３に格納される。
【００３１】
このように、スタンプのＸＭＬ記述によってコントロール名を定義することにより、電子カルテシステム１における入力の際にスタンプを用いれば、スタンプの入力項目に定義された項目名が、当該入力項目の項目名として、入力者に依らずに標準的に統一されることとなる。従って、この項目名に基づいて、過去の履歴を一覧表示させたり、項目名をキーとして容易にデータ検索を行ったりすることが可能となる。
【００３２】
なお、医師が、スタンプ選択ウィンドウ１０４に一覧表示されているスタンプ画像のいずれかを選択し、ＳＯＡＰ入力ウィンドウ１０１のＳＯＡＰ欄１０１ａ〜１０１ｄのいずれかに貼り付ける操作を行った場合の内部処理について、以下に説明する。
【００３３】
図１１は、電子カルテシステム１における医師用端末２の機能的な構成を示すブロック図である。なお、図１１は、医師用端末２の構成要素のうち、本発明の特徴点に関連する機能を実現するブロックのみを示したものである。従って、本発明にかかる電子カルテシステムは、図１１に示した以外の任意の構成要素を備え得る。
【００３４】
図１１に示すように、医師用端末２は、スタンプ選択処理部２０１、スタンプ貼付処理部２０２、データ入力処理部２０３、データ記憶処理部２０４、スタンプ定義記憶部２０５、表示用メモリ２０６、および検索処理部２０７を備えている。なお、スタンプ選択処理部２０１、スタンプ貼付処理部２０２、データ入力処理部２０３、データ記憶処理部２０４、および検索処理部２０７は、医師用端末２の本体２２内のＣＰＵが所定のプログラムを実行することによって機能的に実現される機能ブロックである。スタンプ定義記憶部２０５および表示用メモリ２０６は、本体２２内または本体２２からアクセス可能な任意のメモリまたは記憶装置によって実現される。
【００３５】
スタンプ定義記憶部２０５には、データ入力領域を有するスタンプ画像の定義情報が記憶されている。スタンプ選択処理部２０１は、入力補助ウィンドウ１０２において医師がスタンプボタン１０２ａをクリックすると、スタンプ定義記憶部２０５に定義情報が記憶されているスタンプ画像を、ディスプレイ２１に表示する。このとき、医師がスタンプを選択し易いように、診療科やスタンプ種別毎に分類してスタンプを表示することが好ましい。
【００３６】
表示用メモリ２０６は、ディスプレイ２１へ表示すべき画像を作成するためのワーキングメモリとして用いられるものであり、ディスプレイ２１における画面の構成部品に関するデータを少なくとも一時的に格納する。画面の構成部品としては、テキストボックス、ラジオボタン、コンボボックス、チェックボックス、プッシュボタン、およびこれら以外の各種の画像等がある。
【００３７】
スタンプ貼付処理部２０２は、医師がいずれかのスタンプを選択したとき、選択されたスタンプ画像を、カルテデータ入力画面（例えばＳＯＡＰ欄）に追加してディスプレイ２１に表示する。スタンプ貼付処理部２０２は、医師が、スタンプを選択する前、またはスタンプを選択した後にカルテデータ入力画面においてクリックした位置を、スタンプ貼付位置の原点座標として取得する。そして、表示用メモリ２０６に格納されている構成部品の情報に、医師が選択したスタンプを、新規部品として追加する。すなわち、スタンプ貼付処理部２０２は、医師が選択したスタンプの定義情報をスタンプ定義記憶部２０５から取得して、表示用メモリ２０６に追加する。ただし、スタンプ貼付処理部２０２は、スタンプ定義記憶部２０５から取得したスタンプ定義情報をそのまま表示用メモリ２０６に格納するのではなく、スタンプ定義情報に記述されている相対座標を、上記の原点座標を基準とする絶対座標に変換する。これにより、表示用メモリ２０６にスタンプ画像が新規部品として追加される。従って、ディスプレイ２１の表示をリフレッシュする際に表示用メモリ２０６が参照されることにより、スタンプ画像が追加されたカルテデータ入力画面がディスプレイ２１に表示される。
【００３８】
データ入力処理部２０３は、カルテデータ入力画面において医師がスタンプ画像のテキストボックスへ入力したデータを取り込む。このとき、データ入力処理部２０３は、スタンプ画像の定義情報においてテキストボックスに付与されている項目名を、上位プログラムに通知する。上位プログラムは、通知された項目名に対して、医師によって入力された値をセットし、データ入力処理部２０３へ返す。データ入力処理部２０３は、上位プログラムから受け取った値を、入力データとして取り込む。
【００３９】
データ記憶処理部２０４は、データ入力処理部２０３が取り込んだ入力データを、当該スタンプ画像の定義情報においてテキストボックスに付与されている項目名と関連付けて、カルテデータベース３へ記憶する。なお、データ記憶処理部２０４は、項目名と入力データとを記憶するよう、カルテデータベース３へ指示を送るだけでも良い。カルテデータベース３における項目名と入力データとの関連付けは、データベースの仕様に応じた任意の方法でなされ得る。
【００４０】
以上の処理により、電子カルテシステム１の医師用端末２において、スタンプを用いたデータ入力が可能となる。また、検索処理部２０７は、上述のようにカルテデータベース３へ記憶されたデータに対して、スタンプ画像の定義情報においてテキストボックスに付与されている項目名をキーとして検索を行う。検索処理部２０７は、検索結果を、図６に示したように一覧表示したり、図７に示したようにグラフに加工して表示したりする。これにより、医師は、スタンプを用いて入力したデータを容易にかつ効率的に閲覧することができる。
【００４１】
なお、上記の実施形態は、本発明を限定するものではなく、発明の範囲内で種々の変更が可能である。例えば、上記の説明では、スタンプ画像のデータ入力領域がテキストボックスである例を挙げたが、スタンプ画像が例えばボディマークである場合、ボディマーク上の一部または全部の領域をデータ入力領域とし、医師がマウスやスタイラスペン等の任意の入力デバイスを用いて当該データ入力領域へ描画した任意の画像を、入力データとして取り込み、カルテデータベース３へ記憶する構成としても良い。
【００４２】
また、上記の実施形態では、ＳＯＡＰ方式に則った入力を行う電子カルテシステムを例示したが、本発明は、ＳＯＡＰ方式の電子カルテシステムに限らず、任意の電子カルテシステムに適用できる。
【産業上の利用可能性】
【００４３】
本発明は、検査結果等のデータを、紙カルテに記入するような感覚で入力が可能であり、かつ、入力されたデータが効率的に検索可能となる電子カルテシステムとして有用である。
【図面の簡単な説明】
【００４４】
【図１】本発明の一実施形態にかかる電子カルテシステムの概略構成を示すネットワーク図である。
【図２】本発明の一実施形態にかかる電子カルテシステムにおいて、医師用端末のディスプレイに表示されるカルテ入力画面の一例である。
【図３】本発明の一実施形態にかかる電子カルテシステムにおいて、医師用端末のディスプレイに表示されるスタンプ選択画面の一例である。
【図４】本発明の一実施形態にかかる電子カルテシステムの医師用端末において、データ入力画面にスタンプが貼り付けられた状態の一例である。
【図５】本発明の一実施形態にかかる電子カルテシステムの医師用端末において、スタンプのテキストボックスから結果履歴表示を選択する状態の一例である。
【図６】本発明の一実施形態にかかる電子カルテシステムにおいて、医師用端末のディスプレイに結果履歴が一覧表示された状態の一例である。
【図７】本発明の一実施形態にかかる電子カルテシステムにおいて、医師用端末のディスプレイに結果履歴がグラフ表示された状態の一例である。
【図８】スタンプ画像の一例である。
【図９】（ａ）および（ｂ）は、スタンプ画像の一部の定義情報の一例である。
【図１０】（ａ）および（ｂ）は、スタンプ画像の一部の定義情報の一例である。
【図１１】本発明の一実施形態にかかる電子カルテシステムにおける医師用端末の機能的な構成を示すブロック図である。
【符号の説明】
【００４５】
１        電子カルテシステム
２        医師用端末
３        カルテデータベース
４        ＬＡＮ
２１      ディスプレイ
２２      医師用端末の本体
２０１    スタンプ選択処理部
２０２    スタンプ貼付処理部
２０３    データ入力処理部
２０４    データ記憶処理部
２０５    スタンプ定義記憶部
２０６    表示用メモリ
２０７    検索処理部
【図１】
2007280206.tif 000003
【図２】
2007280206.tif 000004
【図３】
2007280206.tif 000005
【図４】
2007280206.tif 000006
【図５】
2007280206.tif 000007
【図６】
2007280206.tif 000008
【図７】
2007280206.tif 000009
【図８】
2007280206.tif 000010
【図９】
2007280206.tif 000011
【図１０】
2007280206.tif 000012
【図１１】
2007280206.tif 000013